(57)【要約】      （修正有）【課題】アクセサリーの種類や様態が多岐に渡ることによって、消費者により訴求力の高い香るアクセサリーを提供する。【解決手段】香りを浸透させて作成もしくは使用時に精油を塗布される石膏２と、石膏と組み合わせてヘッド３を形成するつまみ細工４ａを具備しており、このつまみ細工をアクセサリートップ４とするヘッドがアタッチメント本体５であるクリップ５ａに接着されている。つまみ細工は、正方形にカットされた一越ちりめんを複数枚用いて丸つまみに成形し、複数枚の花びらを接着した花座に石膏を接着剤で取り付け、花座に取り付けた石膏をつまみ細工の花の中央に接着剤で固定してヘッドを作成する。石膏は、石膏と水と必要に応じてアクリル絵の具を溶き、混ぜてモールドに流し込み、気泡を抜き一定時間置いてモールドから取り出し乾燥させる。【選択図】図１
0003232581.tif 000002
【実用新案登録請求の範囲】
【請求項１】
香りを浸透もしくは使用時に精油を塗布する石膏と、該石膏と組み合わせてヘッドを形成し、アタッチメント本体に配設されるつまみ細工、水引、レジン、ビーズ、アクセサリー金具パーツを含むアクセサリートップを具備することを特徴とする香るアクセサリー。
【請求項２】
上記アタッチメント本体には、クリップ、スカーフ留め、バレッタ、ネクタイピン、カフス、ピンバッジ、ブローチ、ピアス、イヤリング、ネックレス、ペンダント、髪飾り、羽織紐、帯留、根付、ショール留め、ブレスレット、メガネ、リング、チャーム、タイタック、ボタン、マグネットが含まれることを特徴とする、請求項１に記載の香るアクセサリー。
【請求項３】
上記つまみ細工は、正方形状にカットされた複数の一越ちりめんを丸つまみに成形してなる花びらを台に接着して形成されることを特徴とする、請求項１または２に記載の香るアクセサリー。
【請求項４】
上記水引は、複数本の水引で作成されたハート型を複数個組み合わせた花の形状や、梅結び、玉結び、相生結びといった水引固有の結び方を用いて形成されることを特徴とする、請求項１または２に記載の香るアクセサリー。
【請求項５】
上記石膏は、上記レジンとともに各々ＣＵＢＥの形状に成形され、ＣＵＢＥ形状の上記石膏及び上記レジンもしくは上記石膏のみが市松模様を形成するように土台の透かしパーツに接着して形成されることを特徴とする、請求項１または２に記載の香るアクセサリー。
【考案の詳細な説明】
【技術分野】
【０００１】
本考案は、香るアクセサリーに関する。
【背景技術】
【０００２】
アクセサリーには多くの種類があるが、それらのほとんどは人間の視覚に訴えてそれらを目にする人々の目を楽しませるものとなっている。稀には触覚すなわち手触りを楽しむものもあるかもしれない。
【０００３】
しかしながら、嗅覚すなわち香りを楽しむ、あるいはほのかに香ることを特徴とするアクセサリーは一般的ではなかった。
【０００４】
その理由としては、以下３点が考えられる。
１．アクセサリーに香りをつけるという概念が広く頒布されていなかった。
２． アクセサリーに精油をしたためる技術的手段が、ガラスに入れたり、吸水性物質を入れるなどしか用いられておらず限定的であった。
３． 上記２の手段が限られていた為、アクセサリーの様態もペンダントやイヤリングなどに限られてしまっていた。
特許文献１には、香るアクセサリーの技術が開示されている。
【先行技術文献】
【特許文献】
【０００５】
【特許文献１】特開平９−１４０４４５号公報
【考案の概要】
【考案が解決しようとする課題】
【０００６】
しかしながら、特許文献１の香るアクセサリーはカプセルに吸水性物質（綿等）を入れ、香りの出口兼、香水の注入穴を開け、その中に香水をしみ込ませた構成であり、構成が複雑で作成が容易ではない点、アクセサリーとしてのデザイン性が欠けたり、用いられる素材も限られてしまいアクセサリーとしての魅力が薄れる等の問題点があった。
【０００７】
本考案は上記問題点に鑑み、精油をしたためる媒体として石膏を用いることで、香源をアクセサリーパーツとして組み入れ、デザイン性を高めることを可能とし、これにより香源と組み合わせるアクセサリーの素材として水引、レジン、つまみ細工、金具パーツなどバリエーションを豊富にし、アクセサリーの種類や様態が多岐に渡ることによって、消費者により訴求力の高い香るアクセサリーを提供することを課題とする。  
【課題を解決するための手段】
【０００８】
上記課題を解決するために、請求項１の考案は、香りを浸透もしくは使用時に精油を塗布する石膏と、石膏と組み合わせてヘッドを形成し、アタッチメント本体に配設されるつまみ細工、水引、レジン、ビーズ、アクセサリー金具パーツを含むアクセサリートップを具備することを特徴とする。
請求項２の考案はさらに、アタッチメント本体には、クリップ、スカーフ留め、バレッタ、ネクタイピン、カフス、ピンバッジ、ブローチ、ピアス、イヤリング、ネックレス、ペンダント、髪飾り、羽織紐、帯留、根付、ショール留め、ブレスレット、メガネ、リング、チャーム、タイタック、ボタン、マグネットが含まれることを特徴とする。
請求項３の考案はさらに、つまみ細工は、正方形状にカットされた複数の一越ちりめんを丸つまみに成形してなる花びらを台に接着して形成されることを特徴とする。
請求項４の考案は請求項２の考案においてさらに、水引は、複数本の水引で作成されたハート型を複数個組み合わせた花の形状や、梅結び、玉結び、相生結びといった水引固有の結び方を用いて形成されることを特徴とする。
請求項５の考案は請求項２の考案においてさらに、石膏は、レジンとともに各々ＣＵＢＥの形状に成形され、ＣＵＢＥ形状の石膏及びレジンもしくは石膏のみが市松模様を形成するように土台の透かしパーツに接着して形成されることを特徴とする。
【考案の効果】
【０００９】
本考案により、精油をしたためる媒体として石膏を用いる事で香源をアクセサリーパーツとして組み入れ、デザイン性を高めることを可能とし、これにより香源と組み合わせるアクセサリーの素材として水引、レジン、つまみ細工、金具パーツなどバリエーションを豊富にし、アクセサリーの種類や様態が多岐に渡ることによって、消費者により訴求力の高い香るアクセサリーが提供される。また、多くのアタッチメントに取り付けることができる香るアクセサリーが提供される。
【図面の簡単な説明】
【００１０】
【図１】本考案の第１の実施形態を示す模式図である。
【図２】本考案の第２の実施形態を示す模式図である。
【図３】本考案の第３の実施形態を示す模式図である。
【考案を実施するための形態】
【００１１】
以下、本考案の第１の実施形態について説明する。まず本実施形態の構成について説明する。
【００１２】
図１に示すように、本実施形態の香るアクセサリー１は、香りを浸透させて作成もしくは使用時に精油を塗布される石膏２と、石膏２と組み合わせてヘッド３を形成するつまみ細工４ａを具備しており、このつまみ細工４ａをアクセサリートップ４とするヘッド３がアタッチメント本体５であるクリップ５ａに接着されている。
【００１３】
次に、本実施形態の香るアクセサリー１のつまみ細工４ａの製作手順について説明する。
（１）正方形にカットされた一越ちりめんを複数枚用いて、丸つまみに成形する。
（２）複数枚の花びらを台に木工用ボンドでバランスよく接着する。
（３）花座に石膏を接着剤で取り付ける。
（４）花座に取り付けた石膏をつまみ細工の花の中央に接着剤で固定する。
上記（１）〜（４）の工程を経てヘッド４が完成する。
【００１４】
ここで、このつまみ細工４ａと組み合わせてヘッド３を形成する石膏２の製作手順について説明する。以下、石膏作りの手順を説明する。
（１）石膏を計量する。
（２）水を計量し、必要に応じてアクリル絵の具を溶く。
（３）（２）で計量した水の中に石膏を投入し混ぜる。
（４）混ぜた石膏をモールドに流し込む。
（５）テーブルにモールドを軽く叩きつけて気泡を抜く。石膏が固まるまで一定時間置く。
（６）モールドから石膏を取り出し乾燥させる。
こうして作成された石膏２を、アクセサリートップ４であるつまみ細工４ａと接着してヘッド３を作成する。
【００１５】
次に、本考案の第２の実施形態について説明する。まず本実施形態の構成について説明する。
【００１６】
図２に示すように、本実施形態の香るアクセサリー１は、香りを浸透させて作成もしくは使用時に精油を塗布される石膏２と、石膏２と組み合わせてヘッド３を形成する水引４ｂを具備しており、この水引４ｂをアクセサリートップ４とするヘッド３がアタッチメント本体５であるクリップ５ａに接着されている。
【００１７】
次に、本実施形態の香るアクセサリー１の水引４ｂの製作手順について説明する。
（１）絹巻９０ｃｍの水引を複数本使ってハート型を組み合わせた花の形状や、梅結び、玉結び、相生結びといった水引固有の結び方の形状を作る。
（２）形を花の様に整えて中心を木工用ボンドで固定する。
こうしてアクセサリートップ４として作成した水引４ｂの花の裏側に台座を接着し、花の中央に上述の要領で作成された石膏２を花座に乗せて接着してヘッド３を作成する。
【００１８】
次に、本考案の第３の実施形態について説明する。まず本実施形態の構成について説明する。
【００１９】
図３に示すように、本実施形態の香るアクセサリー１は、香りを浸透させて作成もしくは使用時に精油を塗布される石膏２と石膏２と組み合わせてヘッド３を形成するレジン４ｃを具備しており、このレジン４ｃがアクセサリートップ４としてアタッチメント本体５であるクリップ５ａに接着されている。
【００２０】
次に、本実施形態の香るアクセサリー１のレジン４ｃの製作手順について説明する。
（１）レジン４ｃ、石膏２ともＣＵＢＥの形状に成型する。
（２）市松模様となる様に４つのＣＵＢＥを土台の透かしパーツに接着する。
このレジン４ｃと石膏２をアクセサリートップ４としてヘッド３を作成する。
（３）図３に示すＣＵＢＥ形状の香るアクセサリー１は石膏２のみで成形される場合もある。
【００２１】
上記第１〜第３の実施形態ではアタッチメント本体５としてクリップ５ａが使用された場合を説明したが、アタッチメント本体５として、クリップ５ａの替わりに、スカーフ留め、バレッタ、ネクタイピン、カフス、ピンバッジ、ブローチ、ピアス、イヤリング、ネックレス、ペンダント、髪飾り、羽織紐、帯留、根付、ショール留め、ブレスレット、メガネ、リング、チャーム、タイタック、ボタン、マグネットを使用することにより、多くの用途に対応可能な香るアクセサリーを提供することができる。
【００２２】
以上説明した第１〜第３の実施形態の機能について説明する。
いずれの実施形態においても本考案の香るアクセサリーは、使用時において石膏から芳香が放たれることにより、従来のアクセサリーでは得られなかった心地よい嗅覚への刺激を使用者や接する周囲の人々に与えることができる。
【００２３】
石膏への芳香の供給方法としては、石膏作成時に精油を石膏に練り込む方法と製品の石膏に精油を滴下して浸透させる方法の２通りがある。後者の方法は時間の経過により上記各種の香るアクセサリーの香りが弱まった場合にも採用できる方式である。
【符号の説明】
【００２４】
１  香るアクセサリー
２  石膏
３  ヘッド
４  アクセサリートップ
４ａ  つまみ細工
４ｂ  水引
４ｃ  レジン
５  アタッチメント本体
５ａ  クリップ
【図１】
0003232581.tif 000003
【図２】
0003232581.tif 000004
【図３】
0003232581.tif 000005
【手続補正書】
【提出日】令和3年4月21日(2021.4.21)
【手続補正１】
【補正対象書類名】実用新案登録請求の範囲
【補正対象項目名】請求項１
【補正方法】変更
【補正の内容】
【請求項１】
香りを浸透もしくは使用時に精油を塗布する石膏と、該石膏と組み合わせてヘッドを形成し、アタッチメント本体に配設される、つまみ細工、水引、レジン、ビーズ又はアクセサリー金具パーツを含むアクセサリートップを具備することを特徴とする香るアクセサリー。
【手続補正２】
【補正対象書類名】実用新案登録請求の範囲
【補正対象項目名】請求項２
【補正方法】変更
【補正の内容】
【請求項２】
上記アタッチメント本体には、クリップ、スカーフ留め、バレッタ、ネクタイピン、カフス、ピンバッジ、ブローチ、ピアス、イヤリング、ネックレス、ペンダント、髪飾り、羽織紐、帯留、根付、ショール留め、ブレスレット、メガネ、リング、チャーム、タイタック、ボタン又はマグネットが含まれることを特徴とする、請求項１に記載の香るアクセサリー。
【手続補正３】
【補正対象書類名】明細書
【補正対象項目名】０００８
【補正方法】変更
【補正の内容】
【０００８】
上記課題を解決するために、請求項１の考案は、香りを浸透もしくは使用時に精油を塗布する石膏と、石膏と組み合わせてヘッドを形成し、アタッチメント本体に配設されるつまみ細工、水引、レジン、ビーズ又はアクセサリー金具パーツを含むアクセサリートップを具備することを特徴とする。
請求項２の考案はさらに、アタッチメント本体には、クリップ、スカーフ留め、バレッタ、ネクタイピン、カフス、ピンバッジ、ブローチ、ピアス、イヤリング、ネックレス、ペンダント、髪飾り、羽織紐、帯留、根付、ショール留め、ブレスレット、メガネ、リング、チャーム、タイタック、ボタン又はマグネットが含まれることを特徴とする。
請求項３の考案はさらに、つまみ細工は、正方形状にカットされた複数の一越ちりめんを丸つまみに成形してなる花びらを台に接着して形成されることを特徴とする。
請求項４の考案は請求項２の考案においてさらに、水引は、複数本の水引で作成されたハート型を複数個組み合わせた花の形状や、梅結び、玉結び、相生結びといった水引固有の結び方を用いて形成されることを特徴とする。
請求項５の考案は請求項２の考案においてさらに、石膏は、レジンとともに各々ＣＵＢＥの形状に成形され、ＣＵＢＥ形状の石膏及びレジンもしくは石膏のみが市松模様を形成するように土台の透かしパーツに接着して形成されることを特徴とする。